(57)【特許請求の範囲】
【請求項１】
ケーブルテレビの放送信号を伝送する伝送路に接続されるとともに、架空設置される伝送路装置において、
前記伝送路を伝送される前記ケーブルテレビの放送信号に対して所定の処理を施す処理手段と、
二次電池と、
商用電源の交流電力を直流電力に変換するとともに、所定の電圧まで降圧して出力する変換手段と、
前記変換手段の後段に配置され、前記変換手段によって得られる直流電力によって前記二次電池を充電するとともに、前記処理手段に電力を供給する充電手段と、
前記商用電源の状態を判定する判定手段と、
前記判定手段によって前記商用電源の状態が正常であると判定した場合には、前記充電手段によって前記二次電池を充電するとともに前記処理手段に電源電力を供給し、前記判定手段によって前記商用電源の状態が正常でないと判定した場合には、前記二次電池に蓄電されている電力を前記処理手段に電源電力として供給する制御を行う制御手段と、を有し、
前記変換手段は前記伝送路装置に対して着脱可能に設けられていることを特徴とする伝送路装置。
【請求項２】
前記伝送路装置の各部の動作状態を検出する検出手段と、
前記検出手段によって検出された各部の動作状態を、上位の装置に通知する通知手段と、
を有することを特徴とする請求項１に記載の伝送路装置。
【請求項３】
前記二次電池は前記伝送路装置に対して着脱可能に設けられていることを特徴とする請求項１または２に記載の伝送路装置。
【発明の詳細な説明】
【技術分野】
【０００１】
本発明は、伝送路装置に関するものである。
【背景技術】
【０００２】
移動体通信システムの基地局に電力を供給する技術としては、特許文献１に開示される技術が存在する。この特許文献１に開示された技術では、商用電源が停電したときにエンジンで働く小型交流発電機と、小型バッテリとを備え、停電時には小型交流発電機を動作させて、整流した直流電源を無線装置に直接供給することにより、小型バッテリと小型交流発電機との組み合わせで小型の移動無線基地局の無停電装置を実現している。
【０００３】
特許文献１に開示された技術は、エンジンを用いた構成であるが、例えば、ケーブルテレビの伝送路装置は、架空設置される場合が想定されることから、ＡＣ／ＤＣ変換回路と小型バッテリとを有する無停電電源装置も用いられている。図３は、ケーブルテレビ等の伝送路に用いられる従来の無停電電源装置の構成を示している。図３に示す構成では、無停電電源装置１００、および、伝送路装置２００，２１０を有し、商用電源１０からの電力で動作する。
【０００４】
商用電源１０は、１００ボルトの交流電力を供給する電力源である。無停電電源装置１００は、変圧器１１０、切り換え回路１１１，１１２、インバータ回路１１３、充電回路１１４、二次電池１１５、および、監視部１１６を有している。また、伝送路装置２００，２１０は、送電スイッチ２０１，２０２，２１１，２１２、ＡＣ／ＤＣ変換回路２０３，２１３、監視部２０４、電子回路２０５、および、電源分離フィルタ２０６，２０７，２１６，２１７を有し、商用電源１０が正常である場合は、商用電源１０から供給される１００ボルトの交流電力を、６０ボルトの交流電力に降圧し、伝送路装置２００に供給する。また、商用電源が異常な場合（停電の場合）、二次電池１１５に蓄えられている電力を６０ボルトの交流電力に変換して伝送路装置２００に供給する。
【０００５】
ここで、変圧器１１０は、商用電源１０から出力される１００ボルトの交流電力を６０ボルトに降圧し、切り換え回路１１１に供給する。切り換え回路１１１は監視部１１６によって制御され、商用電源１０が正常である場合には変圧器１１０の出力を選択し、商用電源１０が異常である場合には、インバータ回路１１３の出力を選択して出力する。切り換え回路１１２は監視部１１６によって制御され、商用電源１０が正常である場合には充電回路１１４の出力によって二次電池１１５を充電し、商用電源１０が異常である場合には、二次電池１１５の出力をインバータ回路１１３に供給する。インバータ回路１１３は、二次電池１１５から出力される直流電力を６０ボルトの交流電力に変換して出力する。充電回路１１４は、商用電源１０から出力される１００ボルトの交流電力を直流電力に変換して二次電池１１５を充電する。二次電池１１５は、充電回路１１４によって充電され、商用電源１０が正常でない場合にはインバータ回路１１３に直流電力を供給する。監視部１１６は、商用電源１０の状態を監視し、監視結果に基づいて切り換え回路１１１，１１２を制御する。
【０００６】
伝送路装置２００は、送電スイッチ２０１，２０２、ＡＣ／ＤＣ変換回路２０３、監視部２０４、電子回路２０５、および、電源分離フィルタ２０６，２０７を有し、同軸ケーブルによって構成される伝送路３００に接続され、この伝送路３００に伝送される信号を電子回路２０５によって処理するとともに、無停電電源装置１００から供給される交流電力を、伝送路３００に重畳し、他の伝送路装置２１０に伝送する。
【０００７】
また、伝送路装置２１０は、送電スイッチ２１１，２１２、ＡＣ／ＤＣ変換回路２１３、監視部２１４、電子回路２１５、および、電源分離フィルタ２１６，２１７を有し、同軸ケーブルによって構成される伝送路３００に接続され、この伝送路３００に伝送される信号を電子回路２１５によって処理するとともに、他の伝送路装置２００から供給される交流電力を分離して装置の各部に供給する。
【０００８】
ここで、ＡＣ／ＤＣ変換回路２０３には、無停電電源装置１００から供給される電圧が６０ボルトの交流電力が印加されている。ＡＣ／ＤＣ変換回路２０３は、この交流電力を直流電力に変換し電子回路２０５に電源電力として供給する。電子回路２０５は、伝送路３００を伝送される信号を受信して所定の処理を施し、再度、伝送路３０２送出する。監視部２０４は、ＡＣ／ＤＣ変換回路２０３の出力電圧を監視し、異常が発生した場合には電子回路２０５および伝送路３００を介して上位の回路に通知する。送電スイッチ２０１がオンの状態にされると、無停電電源装置１００から供給される交流電力が電源分離フィルタ２０６に供給され、この電源分離フィルタ２０６を介して伝送路３００に送出される。また、送電スイッチ２０２がオンの状態にされると、無停電電源装置１００から供給される交流電力が送電スイッチ２０２を介して電源分離フィルタ２０７に供給される。電源分離フィルタ２０７は、交流電力を伝送路３００を介して送出する。
【０００９】
伝送路装置２１０では、電子回路２１５が伝送路３００を伝送されてきた信号を受信し、所定の処理を施した後、伝送路３００に再度送出する。電源分離フィルタ２１６は、伝送路３００を伝送される交流電力を分離し、送電スイッチ２１１を介してＡＣ／ＤＣ変換回路２１３に供給する。ＡＣ／ＤＣ変換回路２１３は、送電スイッチ２１１を介して供給される交流電力を直流電力に変換して電子回路２１５に電源として供給する。送電スイッチ２１１から供給される交流電力は、送電スイッチ２１２を介して電源分離フィルタ２１７に供給される。電源分離フィルタ２１７は、送電スイッチ２１２から供給される交流電力を伝送路３００に送出する。なお、図３に示す例では、２台の伝送路装置２００，２１０が示されているが、３台以上の伝送路装置を備えることも可能である。
【００１０】
以上のような従来技術によれば、無停電電源装置１００から、複数の伝送路装置２００，２１０に対して電力を供給できることから、電源の共通化によってシステムを簡略化することができる。
【先行技術文献】
【特許文献】
【００１１】
【特許文献１】特開２００３−２８４２５９号公報
【発明の概要】
【発明が解決しようとする課題】
【００１２】
ところで、図３に示す従来例では、商用電源１０が正常な場合には、変圧器１１０で降圧され、さらに、ＡＣ／ＤＣ変換回路２０３，２１３で所望の電圧に変換された電力を使用する。また、商用電源１０が正常でない場合には、インバータ回路１１３で変換され、さらに、ＡＣ／ＤＣ変換回路で所望の電圧に変換された電力を使用する。このため、装置の構成が複雑で、かつ、電力の損失が大きいという問題点がある。
【００１３】
また、１台の無停電電源装置１００で複数の伝送路装置２００，２１０に電力を供給することから、無停電電源装置１００に搭載する変圧器１１０や二次電池１１５のサイズや重量が大きくなるため、例えば、伝送路装置と同様の架空設置が困難になり、設置場所の確保が困難になるという問題点がある。
【００１４】
本発明は、以上の点に鑑みてなされたものであり、電力の損失が少なく、かつ、設置場所の確保が容易な伝送路装置を提供することを目的としている。
【課題を解決するための手段】
【００１５】
上記課題を解決するために、本発明は、ケーブルテレビの放送信号を伝送する伝送路に接続されるとともに、架空設置される伝送路装置において、前記伝送路を伝送される前記ケーブルテレビの放送信号に対して所定の処理を施す処理手段と、二次電池と、商用電源の交流電力を直流電力に変換するとともに、所定の電圧まで降圧して出力する変換手段と、前記変換手段の後段に配置され、前記変換手段によって得られる直流電力によって前記二次電池を充電するとともに、前記処理手段に電力を供給する充電手段と、前記商用電源の状態を判定する判定手段と、前記判定手段によって前記商用電源の状態が正常であると判定した場合には、前記充電手段によって前記二次電池を充電するとともに前記処理手段に電源電力を供給し、前記判定手段によって前記商用電源の状態が正常でないと判定した場合には、前記二次電池に蓄電されている電力を前記処理手段に電源電力として供給する制御を行う制御手段と、を有し、前記変換手段は前記伝送路装置に対して着脱可能に設けられていることを特徴とする。
このような構成によれば、電力の損失が少なく、かつ、設置場所の確保が容易な伝送路装置を提供することができる。
【００１６】
また、本発明の一側面は、前記伝送路装置の各部の動作状態を検出する検出手段と、前記検出手段によって検出された各部の動作状態を、上位の装置に通知する通知手段と、を有することを特徴とする。
このような構成によれば、故障の発生を上位の装置に通知して、迅速な復旧が可能になる。
【００１７】
また、本発明の一側面は、前記二次電池は前記伝送路装置に対して着脱可能に設けられていることを特徴とする。
このような構成によれば、蓄電池手段の交換が容易になるとともに、伝送路装置が有する回路等が毀損することを防止できる。
【発明の効果】
【００１９】
本発明によれば、電力の損失が少なく、かつ、設置場所の確保が容易な伝送路装置を提供することが可能になる。
【図面の簡単な説明】
【００２０】
【図１】本発明の第１実施形態に係る伝送路装置の構成例を示す図である。
【図２】本発明の第２実施形態に係る伝送路装置の構成例を示す図である。
【図３】従来の伝送路装置の構成例を示す図である。
【発明を実施するための形態】
【００２１】
次に、本発明の実施形態について説明する。
【００２２】
（Ａ）本発明の第１実施形態の構成の説明
図１は、本発明の第１実施形態に係る伝送路装置の構成例を示す図である。この図に示すように、本発明の第１実施形態に係る伝送路装置２０は、ＡＣ／ＤＣ変換回路２１、制御部２２、充電回路２３、二次電池２４、ＤＣ／ＤＣ変換回路２５、および、電子回路２６を有している。
【００２３】
ここで、ＡＣ／ＤＣ変換回路２１は、商用電源１０から供給される１００ボルトの交流電力を、例えば、二次電池２４の端子電圧よりも若干高い値に変換して出力する。例えば、二次電池２４の電圧が１２ボルトである場合には、例えば、１５ボルトの直流電力に変換して出力する。なお、ＡＣ／ＤＣ変換回路２１は、伝送路装置２０に対して着脱可能に構成されている。例えば、ＡＣ／ＤＣ変換回路２１は、接続端子を有するカートリッジ形状を有しており、このカートリッジを伝送路装置２０に対して挿入したり、抜去したりすることで容易に着脱可能とすることができる。
【００２４】
制御部２２は、例えば、ＣＰＵ（Central Processing Unit）、ＲＯＭ（Read Only Memory）、ＲＡＭ（Random Access Memory）を有し、ＲＯＭに格納されているプログラムおよびデータに基づいて装置の各部を制御する。なお、図１において、破線は制御信号線を示し、細い実線は電力線を示し、太い実線は伝送路を示している。
【００２５】
充電回路２３は、二次電池２４の充電が必要な場合（例えば、ＳＯＣ（State of Charge）が低い場合）には、ＡＣ／ＤＣ変換回路２１から出力される直流電力によって二次電池２４を充電するとともに、商用電源１０の停電時には、二次電池２４の直流電力をＤＣ／ＤＣ変換回路２５に供給する。
【００２６】
二次電池２４は、例えば、鉛蓄電池、ニッケルカドミウム電池、ニッケル水素電池、リチウムイオン電池、または、スーパーキャパシタ等によって構成され、商用電源１０が正常時には充電回路２３から供給される直流電力によって充電され、停電時には充電回路２３を介してＤＣ／ＤＣ変換回路２５に直流電力を供給する。
【００２７】
ＤＣ／ＤＣ変換回路２５は、例えば、定電圧回路によって構成され、ＡＣ／ＤＣ変換回路２１または二次電池２４から供給される直流電力を、一定電圧に変換して電子回路２６に供給する。もちろん、昇圧回路を含む構成でもよい。
【００２８】
電子回路２６は、例えば、同軸ケーブルによって構成される伝送路３１，３２に接続され、伝送路３１，３２を伝送される信号を受信し、例えば、増幅処理または波形整形処理を施し、伝送路に再び送信する。
【００２９】
伝送路３１，３２は、例えば、同軸ケーブルによって構成され、ケーブルテレビの放送信号を伝送する。
【００３０】
（Ｂ）本発明の第１実施形態の動作の説明
つぎに、第１実施形態の動作について説明する。以下では、商用電源１０が正常である場合と、異常である場合に分けて説明する。まず商用電源１０が正常である場合、制御部２２は、商用電源１０の電圧を測定することで、商用電源１０が正常であると判定することができる。商用電源１０が正常であると判定した場合、制御部２２は、ＡＣ／ＤＣ変換回路２１を制御して、商用電源１０の交流電力を直流電力に変換して充電回路２３に供給する。また、充電回路２３を制御して、ＡＣ／ＤＣ変換回路２１から出力される直流電力によって二次電池２４を必要に応じて充電する。また、ＡＣ／ＤＣ変換回路２１から出力される直流電力をＤＣ／ＤＣ変換回路２５に供給する。
【００３１】
以上のような動作により、商用電源１０が正常である場合には、商用電源１０から供給された１００ボルトの交流電力はＡＣ／ＤＣ変換回路２１に供給され、所定の電圧まで降圧されて充電回路２３に出力される。充電回路２３は、ＡＣ／ＤＣ変換回路２１から供給される直流電力をＤＣ／ＤＣ変換回路２５に供給するとともに、必要に応じて二次電池２４を充電する。より詳細には、充電回路２３は、例えば、二次電池２４の電圧を測定し、二次電池２４の端子電圧が、充電が必要な電圧まで降圧している場合にはＡＣ／ＤＣ変換回路２１から供給される直流電力によって二次電池２４を、例えば、定電流にて充電する。このような動作により、二次電池２４は、満充電または満充電に近い状態に維持される。
【００３２】
また、充電回路２３は、ＡＣ／ＤＣ変換回路２１から供給される直流電力をＤＣ／ＤＣ変換回路２５に供給する。ＤＣ／ＤＣ変換回路２５は、充電回路２３から供給される直流電力を電子回路２６の定格電圧に変換して出力する。
【００３３】
電子回路２６は、ＤＣ／ＤＣ変換回路２５から電源電力の供給を受け、伝送路３１，３２を伝送される信号を受信し、増幅処理、波形整形処理、伝送路装置２０の情報を付加する処理等の所定の処理を施した後、伝送路３１，３２に送出する。
【００３４】
以上の動作により、商用電源１０が正常である場合には、二次電池２４が必要に応じて充電されるとともに、電子回路２６に電源電力が供給される。
【００３５】
つぎに、商用電源１０が異常である場合の動作について説明する。例えば、商用電源１０が停電している場合、制御部２２は、正常な電圧が検出されないことから、商用電源１０が異常であると判定する。その結果、制御部２２は、充電回路２３を制御して、二次電池２４に蓄積されている電力をＤＣ／ＤＣ変換回路２５に供給する。ＤＣ／ＤＣ変換回路２５は、二次電池２４から供給された直流電力の電圧を変換して、電子回路２６に供給する。なお、制御部２２は、商用電源１０において異常が発生したことを示すメッセージを生成するとともに、メッセージの送信元を特定するための情報を付加し、電子回路２６を介して伝送路３１，３２に送出するようにしてもよい。このようなメッセージを送出することにより、上位の装置がこのメッセージを受信し、異常の発生とその発生箇所を知ることができるので、迅速な復旧が可能になる。
【００３６】
なお、以上では、商用電源１０に異常が発生した場合を例に挙げて説明したが、例えば、落雷等によってＡＣ／ＤＣ変換回路２１が故障した場合にも電力の供給を維持することができる。より詳細には、例えば、商用電源１０に落雷が発生し、ＡＣ／ＤＣ変換回路２１が故障した場合には、制御部２２は、商用電源１０は正常であるにもかかわらず、ＡＣ／ＤＣ変換回路２１の出力が異常であることからＡＣ／ＤＣ変換回路２１の異常であると判定することができる。このような場合には、制御部２２は、充電回路２３を制御して、二次電池２４の電力をＤＣ／ＤＣ変換回路２５に供給する。また、制御部２２は、ＡＣ／ＤＣ変換回路２１が故障したことを示すメッセージと、送信元を特定するための情報（例えば、ＩＤ情報）とを、電子回路２６を介して伝送路３１，３２に送出する。これにより、上位の装置では、ＡＣ／ＤＣ変換回路２１が故障したことを知るとともに、その故障が発生した伝送路装置を特定することができる。この結果、二次電池２４からの電力供給が維持されている時間内にＡＣ／ＤＣ変換回路２１を、新たなものに交換することによって、伝送路３１，３２に異常を生じることなく、障害から復旧を図ることができる。
【００３７】
以上に説明したように、本発明の第１実施形態によれば、商用電源１０が正常である場合には、商用電源１０の交流電力により必要に応じて二次電池２４を充電し、商用電源１０が正常でない場合には、二次電池２４に蓄積された電力をＤＣ／ＤＣ変換回路２５を介して、電子回路２６に供給するようにしたので、商用電源１０に異常が発生した場合であっても、電子回路２６を動作させ続けることができる。また、ＡＣ／ＤＣ変換回路２１を交換可能としたので、例えば、落雷等により、ＡＣ／ＤＣ変換回路２１が故障した場合には、迅速に交換して障害から復旧することが可能になる。また、以上の第１実施形態では、二次電池２４は複数の伝送路装置に対して給電する必要がなく、自分自身のみへの給電でよいので、図３に示す従来例に比較すると、小型の二次電池を使用することができる。また、このため、ＡＣ／ＤＣ変換回路２１も小型化することができることから、装置全体のサイズを縮小することができる。これにより、伝送路装置２０を、例えば、架空設置（電柱共架）することが可能になるため、設置場所の確保が容易になる。
【００３８】
（Ｃ）本発明の第２実施形態の説明
つぎに、本発明の第２実施形態について説明する。図２は、本発明の第２実施形態の構成例を示す図である。なお、図２において図１と対応する部分には同一の符号を付してその説明を省略する。ここで、図２に示す実施形態では、図１と比較すると、二次電池２４が、別体としてとして構成されている点が異なっており、これ以外は、図１の場合と同様である。
【００３９】
第２実施形態では、二次電池２４を本体とは異なる筐体に収容するようにしたので、二次電池２４に不具合が発生した場合に、迅速に交換することが可能になる。また、二次電池２４が、例えば、鉛蓄電池である場合、充電中に水素ガスが発生するので、筐体内にこの水素ガスが留まらないように、筐体の一部に排気口を設ける必要がある。このため、この排気口から雨水が侵入する場合も想定され、電子回路２６が雨水によって水濡れし、故障することも考えられる。また、鉛蓄電池の場合、電解液として希硫酸を利用することから、希硫酸のミストが発生して電子回路２６を腐食することも想定される。しかしながら、二次電池２４を、本体とは別体とすることにより、このような不具合の発生を回避することができる。
【００４０】
以上に説明したように、本発明の第２実施形態によれば、第１実施形態と同様の効果が期待できるだけでなく、二次電池２４を本体と別体として構成することにより、雨水によって電子回路２６が水濡れしたり、希硫酸のミストによって腐食したりすることを防止できる。
【００４１】
（Ｄ）変形実施形態の説明
以上の実施形態は一例であって、本発明が上述したような場合のみに限定されるものでないことはいうまでもない。例えば、以上の各実施形態では、伝送路３１，３２が同軸ケーブルである場合を例に挙げて説明したが、例えば、伝送路３１，３２の少なくとも一方が光ケーブルであってもよい。すなわち、伝送路３１，３２の一方が光ケーブルであったり、双方が光ケーブルであったりしてもよい。
【００４２】
また、以上の各実施形態では、ＤＣ／ＤＣ変換回路２５を設けるようにしたが、例えば、電子回路２６が３端子レギュレータ等の電源回路を有している場合には、ＤＣ／ＤＣ変換回路２５を省略することも可能である。
【００４３】
また、以上の各実施形態では、制御部２２がＡＣ／ＤＣ変換回路２１の異常を検出した場合には伝送路３１，３２を介して上位の装置に通知するようにしたが、伝送路３１，３２以外の通信方法（例えば、インターネット等）によって異常を通知するようにしてもよい。また、以上の各実施形態では、ＡＣ／ＤＣ変換回路２１の以上を例に挙げて説明したが、これ以外にも、例えば、商用電源１０の異常、充電回路２３の異常、ＤＣ／ＤＣ変換回路２５の異常、二次電池２４の異常、電子回路２６の異常、伝送路３１，３２の異常を検出して、上位の回路に通知するようにしてもよい。
【００４４】
また、以上の各実施形態では、伝送路装置２０を架空設置することを例に挙げて説明したが、これ以外にも、例えば、共同溝に配置したり、電柱の基部に配置したり、あるいは、通信線を架空設置するための支柱に配置したりするようにしてもよい。
【符号の説明】
【００４５】
１０  商用電源
２０  伝送路装置
２１  ＡＣ／ＤＣ変換回路（変換手段）
２２  制御部（判定手段、制御手段、検出手段、通知手段）
２３  充電回路
２４  二次電池（蓄電手段）
２５  ＤＣ／ＤＣ変換回路
２６  電子回路（処理手段）
３１，３２  伝送路
【要約】
【課題】電力の損失が少なく、かつ、設置場所の確保が容易な伝送路装置を提供すること。
【解決手段】伝送路を伝送される信号に対して所定の処理を施す処理手段（電子回路２６）と、電力を蓄積する蓄電手段（二次電池２４）と、商用電源の交流電力を直流電力に変換する変換手段（ＡＣ／ＤＣ変換回路２１）と、商用電源の状態を判定する判定手段（制御部２２）と、判定手段によって商用電源の状態が正常であると判定した場合には、変換手段から出力される直流電力によって蓄電手段に蓄電するとともに処理手段に電源電力を供給し、判定手段によって商用電源の状態が正常でないと判定した場合には、蓄電手段に蓄電されている電力を処理手段に電源電力として供給する制御を行う制御手段（制御部２２）と、を有する。
【選択図】図１【図１】
0005416306.tif 000002
【図２】
0005416306.tif 000003
【図３】
0005416306.tif 000004